【手続補正書】
【提出日】平成23年4月22日(2011.4.22)
【手続補正１】
【補正対象書類名】明細書
【補正対象項目名】発明の名称
【補正方法】変更
【補正の内容】
【発明の名称】ラッチ機構
【手続補正２】
【補正対象書類名】明細書
【補正対象項目名】０００１
【補正方法】変更
【補正の内容】
【０００１】
この発明は、基準位置からの展開可能に本体に組み合わされた回動体が、展開位置からこの基準位置に向けて所定の位置まで回動操作されたときに作動して、この回動体を基準位置に引き込むように機能するラッチ機構の改良に関する。
【手続補正３】
【補正対象書類名】明細書
【補正対象項目名】０００５
【補正方法】変更
【補正の内容】
【０００５】
前記課題を達成するために、この発明にあっては、第一の観点から、ラッチ機構を、以下の（１）〜（５）の構成を備えたものとした。
（１）回動体及びこの回動体が回動可能に組み合わされる本体のいずれか一方の側に備えられるストライカ体と、これらの他方の側に備えられると共に回動体を展開位置から基準位置に向けて回動操作したときに手前側から移動又は相対的に移動されてくるストライカ体を捕捉するキャッチャーとを備え、待機位置でストライカ体を捕捉して回り込み位置まで往動回動されるキャッチャーによって回動体を基準位置に位置づけるようにしたラッチ機構であって、
（２）制動手段と連係手段とを備えており、
（３）制動手段は、回転に制動力の作用を受けるピニオンを備えており、
（４）連係手段は、第一スライダと、この第一スライダに対し所定の範囲でスライド移動可能に組み合わされた第二スライダとを備えており、
（５）この連係手段とキャッチャー及びピニオンとが、キャッチャーの回動により第一スライダを移動させ且つ第二スライダの移動によりピニオンを回転させるように、又は、キャッチャーの回動により第二スライダを移動させ且つ第一スライダの移動によりピニオンを回転させるように、組み合わされている。
【手続補正４】
【補正対象書類名】明細書
【補正対象項目名】００１０
【補正方法】変更
【補正の内容】
【００１０】
また、前記課題を達成するために、この発明にあっては、第二の観点から、ラッチ機構を、以下の（１）〜（４）の構成を備えたものとした。
（１）回動体及びこの回動体が回動可能に組み合わされる本体のいずれか一方の側に備えられるストライカ体と、これらの他方の側に備えられると共に回動体を展開位置から基準位置に向けて回動操作したときに手前側から移動又は相対的に移動されてくるストライカ体を捕捉するキャッチャーとを備え、待機位置でストライカ体を捕捉して回り込み位置まで往動回動されるキャッチャーによって回動体を基準位置に位置づけるようにしたラッチ機構であって、
（２）制動手段と連係手段とを備えており、
（３）制動手段は、回転に制動力の作用を受けるピニオンを備えており、
（４）連係手段は、キャッチャーの回動によりスライド移動するようになっていると共に、この移動の前後に亘ってピニオンの側方に位置される箇所に、このピニオンに噛み合うラック部と、このピニオンへの噛み合いを生じない非ラック部とを備えている。
【手続補正５】
【補正対象書類名】明細書
【補正対象項目名】００２５
【補正方法】変更
【補正の内容】
【００２５】
図示の例では、キャッチャー２は、支持ベース３を介して回動体Ｄとしての扉Ｄａに対する本体Ｈとしての扉枠Ｈａに備えられている。図示の例では、支持ベース３は、天面を扉枠Ｈａの上枠部Ｈｂへの取り付け部３２とした細長いケース状をなすように構成されている。そして、支持ベース３は、その長さ方向を上枠部Ｈｂの長さ方向に沿わせるようにして、扉枠Ｈａの蝶番Ｈｃの設けられた側に備えられている。キャッチャー２は、かかる支持ベース３の長さ方向中程の位置よりもその一端部３０側に偏った位置に配されており、このように配されるキャッチャー２と支持ベース３の他端部３１との間に前記付勢手段６と制動手段４が配されると共に、かかるキャッチャー２と制動手段４とが連係手段５によって連係されている。図中符号３４で示すのは支持ベース３の天板３３に連続した取り付け用耳部であり、符号３５で示すのは支持ベース３の天板３３における長さ方向に沿った一方縁部に亘ってこの一方縁部から下方に垂下される前板であり、符号３６で示すのは支持ベース３の天板３３における長さ方向に沿った他方縁部に亘ってこの他方縁部から下方に垂下される後板である。支持ベース３はその他端部３１を蝶番Ｈｃ側に向けるように配されている。また、支持ベース３はその前板３５を扉Ｄａの戸当たりＨｄに連続させるように扉枠Ｈａに取り付けられている。かかる前板３５は、キャッチャー２の前方において切り欠かれており、扉Ｄａを基準位置に向けて、つまり、この戸当たりＨｄに前方から突き当たる閉じ位置に向けて回動操作すると、この扉Ｄａに備えられたストライカ体１が手前から移動されてきて支持ベース３に支持されているキャッチャー２に捕捉されるようになっている。かかる支持ベース３の下部は、前板３５と後板３６との間に亘る幅を備えると共に、ストライカ体１の入り込みを許容する割欠き部を備えた図示しないカバーによって塞がれるようになっている。
【手続補正６】
【補正対象書類名】明細書
【補正対象項目名】００２６
【補正方法】変更
【補正の内容】
【００２６】
キャッチャー２は、前記支持ベース３に、待機位置と回り込み位置との間に亘る回動可能に備えられている。かかるキャッチャー２は、支持ベース３の天板３３に上端を一体に接合させて下方に突き出す軸体３７を中心として回動されるようになっている。キャッチャー２はキャッチャー２が回り込み位置にあるときにこの軸体３７による回動組み付け位置２３から後方に向けて突き出す第一腕部２０と、この第一腕部２０との間にストライカ体１の受容部２２となる隙間を形成させるようにしてこの第一腕部２０よりも支持ベース３の一端部３０側にあってこの第一腕部２０と略平行に後方に突き出す第二腕部２１とを備えている。キャッチャー２は復動回動時には第一腕部２０を回転先側に位置させる向きに回動され、待機位置においてはこの第一腕部２０と第二腕部２１とを支持ベース３の前板３５の備えられていない箇所から前記回動組み付け位置２３を通る仮想の前後方向の直線Ｌ１よりも両者の腕端を支持ベース３の他端部３１側に近づけた状態で斜め前方に向けて突き出させるようになっている。（図２）
【手続補正７】
【補正対象書類名】明細書
【補正対象項目名】００４０
【補正方法】変更
【補正の内容】
【００４０】
また、キャッチャー２が回り込み位置にあるときは、第二スライダ５１の左端５１ｃと第一スライダ５０の左側の当接部５０ｃとの間に間隔ｘが形成されるようにしてあり、（図５）この状態からキャッチャー２が復動回動されるとこのときは前記中間位置を超える前に、第二スライダ５１の左端５１ｃと第一スライダ５０の左側の当接部５０ｃが突き当たり、（図６）その後右側に移動される第一スライダ５０と一緒に第二スライダ５１が右側に移動されてこの第一スライダ５０の移動に制動手段４の制動力が作用されるようになっている。
【手続補正８】
【補正対象書類名】明細書
【補正対象項目名】００４４
【補正方法】変更
【補正の内容】
【００４４】
これにより、この図９及び図１０に示される例にあっても、キャッチャー２の往動回動及び復動回動の全過程において制動手段４のピニオン４０を回転させないようにして、かかる全過程のうち制動手段４の制動力を作用させるべきときに限ってこの制動力をキャッチャー２を通じて回動体に作用させるようにすることができる。具体的には、この図９及び図１０に示される例にあっては、キャッチャー２が往動回動されるときはこの往動先側に向けて付勢手段６の付勢力がキャッチャー２に作用されるようになる前には制動手段４の制動力をキャッチャー２に作用させないようにすることができ、基準位置に向けた回動体Ｄの回動操作を円滑に行えるようにしている。